(57)【要約】【課題】作物に供給される培養液の排液の処理等を適切に行うことができる栽培装置および栽培方法を提供する。【解決手段】作物Ｃを定植した培地Ｍの下面側に介在される防水性を有するシート１３と、培地Ｍの下方に配置され、シート１３および培地Ｍを下方より支持する栽培ベッド１２の培地支持部２８と、シート１３を支持するシート支持材２５と、が備えられ、栽培ベッド１２の培地支持部２８とは異なる位置に、培地Ｍから滲出される排液をシート１３により排水するための排水路３４が形成されている。【選択図】図１
2014124180.tif 000002
【特許請求の範囲】
【請求項１】
作物を定植した培地の下面側に介在される防水性を有するシートと、
前記培地の下方に配置され、前記シートおよび前記培地を下方より支持する培地支持手段と、
前記シートを支持するシート支持手段と、が備えられ、
前記培地支持手段とは異なる位置に、前記培地から滲出される排液を前記シートにより排水するための排水路が形成されている栽培装置。
【請求項２】
前記排水路が、平面視において、前記培地の外側位置に形成されている請求項１に記載の栽培装置。
【請求項３】
前記シートに、前記シート支持手段から延出された延出部が備えられており、
前記延出部が、前記排水路を覆うように形成されている請求項１または２に記載の栽培装置。
【請求項４】
前記延出部が、前記培地を覆うように形成されている請求項３に記載の栽培装置。
【請求項５】
前記シートが、前記排水路側へ向けて下り傾斜となるように前記培地支持手段により支持されている請求項１ないし４のいずれか一項に記載の栽培装置。
【請求項６】
前記シートに、前記排水路に存在する排液を前記シートの外側へと排出する排水口が設けられ、
前記排水路が、前記排水口側へ向けて下り傾斜となるように構成されている請求項１ないし５のいずれか一項に記載の栽培装置。
【請求項７】
前記シートの傾斜角度または前記排水路の傾斜角度を調節可能な調節手段が備えられている請求項１ないし６のいずれか一項に記載の栽培装置。
【請求項８】
作物を定植した培地の下面側に防水性を有するシートが介在される介在工程と、前記培地の下方より前記シートおよび前記培地が支持される培地支持工程と、前記シートが支持されるシート支持工程と、前記培地から滲出される排液が、前記シートおよび前記培地が支持される位置とは異なる位置に形成された前記シートの排水路から排出される排水工程と、が含まれる栽培方法。
【請求項９】
前記排水工程で、前記排液が、平面視において、前記培地の外側位置を導かれるようにされている請求項８に記載の栽培方法。
【請求項１０】
前記シートの部分から延出された延出部により前記排水路が覆われる被覆工程が含まれる請求項８または９に記載の栽培方法。
【請求項１１】
前記被覆工程で、前記延出部により前記培地が覆われるようにされている請求項１０に記載の栽培方法。
【請求項１２】
前記排水工程で、前記排液が、前記排水路側へ導かれるようにされている請求項８ないし１１のいずれか一項に記載の栽培方法。
【請求項１３】
前記排水工程で、前記排液が、前記排水路に存在する排液を前記シートの外側へと排出する排水口に導かれるようにされている請求項８ないし１２のいずれか一項に記載の栽培方法。
【請求項１４】
前記シートの傾斜角度または前記排水路の傾斜角度が調節される調節工程が含まれる請求項８ないし１３のいずれか一項に記載の栽培方法。
【請求項１５】
前記培地として、有機培地が用いられる請求項８ないし１４のいずれか一項に記載の栽培方法。
【請求項１６】
培土の側面を覆う側壁部と、前記作物の根が下方へ通過するための孔部とが備えられた育苗ポットにより育苗された前記作物が用いられ、前記育苗ポットの孔部側を前記培地の上に載置することにより、前記作物が前記培地へと定植される定植工程が含まれる請求項８ないし１５のいずれか一項に記載の栽培方法。
【発明の詳細な説明】
【技術分野】
【０００１】
本発明は、培養液で作物を栽培する栽培装置および栽培方法に関する。
【背景技術】
【０００２】
この種の栽培装置の一例が、例えば特許文献１に記載されている。特許文献１に示されたものは、床面に固定した枠内に防水シートで周囲を包んだロックウールを並べ、そのロックウールを作物の培地とし、給液ポンプを適宜作動させて培養液タンクに貯留された培養液を培地に供給することにより作物の栽培を行うようにされている。
【０００３】
このような培養液で作物を栽培する栽培装置を用いると、土耕栽培のように連作障害が起こらないため、同じ作物を何度も繰り返して栽培できる。
【先行技術文献】
【特許文献】
【０００４】
【特許文献１】実開昭６３−１０８６８号公報
【発明の概要】
【発明が解決しようとする課題】
【０００５】
しかしながら、特許文献１に記載の技術では、培地から滲出される培養液の排液が、培地の載置された枠内に貯留される構造となっている。このため、枠内に貯留された培養液の排液が淀んで、藻、苔、病害虫等が発生しやすく、作物の周辺の衛生状態が悪化し易くなっていた。
【０００６】
また、培養液を作物の培地に供給すると、培地から浸出した培養液の排液がいずれ枠内から溢れることになり、枠外へ溢れた排液は外部へと垂れ流しになるので、環境の面において好ましいものではなかった。
【０００７】
また、培地が枠内に貯留された培養液の排液に浸かった状態になるので、作物が培地から培養液を吸水し過ぎて作物の果実が裂果してしまう等の不都合があった。
【０００８】
上記実情に鑑み、本発明は、作物に供給される培養液の排液の処理等を適切に行うことができる栽培装置および栽培方法を提供することを目的とする。
【課題を解決するための手段】
【０００９】
本発明の請求項１に係る栽培装置は、作物を定植した培地の下面側に介在される防水性を有するシートと、
前記培地の下方に配置され、前記シートおよび前記培地を下方より支持する培地支持手段と、
前記シートを支持するシート支持手段と、が備えられ、
前記培地支持手段とは異なる位置に、前記培地から滲出される排液を前記シートにより排水するための排水路が形成されている点を特徴とする。
【００１０】
本特徴構成によれば、作物を定植した培地の下面側に防水性を有するシートが介在されており、シートおよび培地が、培地の下方に配置された培地支持手段により下方から支持されており、かつ、シート支持手段により、シートが支持されている。このため、培地から滲出される培養液がシートで全て受け止められ、外部に漏れることを防止でき、環境の面において好ましいものにできる。そして、培地から滲出される排液をシートにより排水するための排水路が形成されているので、防水のためのシートを培養液の排液の排水路として利用でき、排水路を形成するための専用部材を用意する必要がない。
よって、排水路により培養液の排液が排出され、培養液の排液が淀まずに、培養液の排液に藻、苔、病害虫等が発生することを防止でき、作物の周辺の衛生状態を良好に保つことができる。
また、培地から浸出された培養液の排液が排水路により排出されるため、培地が培養液の排液に浸かることが防止され、作物に適度な量の培養液を供給でき、作物の果実が裂果してしまう等の不都合が生じることを防止できる。
さらに、排水路が培地支持手段とは異なる位置に形成されているので、排水路の状態を確認し易くなり、例えば排水路が汚れていないか否か等の確認を目視で行い易くできる。
したがって、作物に供給される培養液の排液の処理を適切に行うことができる。
【００１１】
なお、作物及び培地は、本発明の請求項１に係る栽培装置の必須構成要件ではない。このため、別に販売等された作物や培地が後で組み込まれるような栽培装置も、請求項１に係る発明の技術的範囲に属する。
【００１２】
本発明の請求項２に係る栽培装置は、前記排水路が、平面視において、前記培地の外側位置に形成されている点を特徴とする。
【００１３】
本特徴構成によれば、排水路が、平面視において、培地の外側位置に形成されており、排水路において培養液の排液が培地の外側位置を導かれるので、排水路の状態を上方側から目視で確認し易くでき、衛生状態の維持管理を行い易くできる。
【００１４】
本発明の請求項３に係る栽培装置は、前記シートに、前記シート支持手段から延出された延出部が備えられており、
前記延出部が、前記排水路を覆うように形成されている点を特徴とする。
【００１５】
本特徴構成によれば、シートに、シート支持手段から延出された延出部が備えられており、この延出部が、排水路を覆うように形成されているので、一つのシートで、培養液の排液が外部に漏れることを防止しながら、培養液の排液の排出も好適に行い、かつ、排水路への病害虫等の侵入も防止できる。また、シートが遮光性を有するものであれば、排水路における藻や苔の繁殖も抑制できる。よって、排水路を覆う専用のカバーが不要となり、簡素な構造で、作物の周辺の衛生状態を良好に維持できる。
【００１６】
本発明の請求項４に係る栽培装置は、前記延出部が、前記培地を覆うように形成されている点を特徴とする。
【００１７】
本特徴構成によれば、延出部が、排水路に加えて培地も覆うように形成されているので、培地への病害虫等の侵入を防止できる。また、シートが遮光性を有するものであれば、培地における藻や苔の繁殖も抑制できる。よって、排水路を覆う専用のカバーが不要となり、簡素な構造で、衛生状態を良好に維持できる。
【００１８】
本発明の請求項５に係る栽培装置は、前記シートが、前記排水路側へ向けて下り傾斜となるように前記培地支持手段により支持されている点を特徴とする。
【００１９】
本特徴構成によれば、シートが排水路側へ向けて下り傾斜となるように培地支持手段により支持されているので、培地から滲出される排液が排水路側へ自然に流下される。このため、培養液の排液を排水路側へ効率よく排出でき、作物に適度な量の培養液を供給でき、作物の果実が裂果してしまう等の不都合が生じることを防止できる。
【００２０】
本発明の請求項６に係る栽培装置は、前記シートに、前記排水路に存在する排液を前記シートの外側へと排出する排水口が設けられ、
前記排水路が、前記排水口側へ向けて下り傾斜となるように構成されている点を特徴とする。
【００２１】
本特徴構成によれば、シートにより形成されている排水路が、排水口側へ向けて下り傾斜とされているので、排水路に存在する排液が排水口側へ自然に流下されて、シートの外側へと排出される。このため、排水路において培養液の排液が滞留することを防止でき、排水路における培養液の排液に病害虫等が発生することを防止できる。
【００２２】
本発明の請求項７に係る栽培装置は、前記シートの傾斜角度または前記排水路の傾斜角度を調節可能な調節手段が備えられている点を特徴とする。
【００２３】
本特徴構成によれば、作物を栽培している間に、シートの傾斜角度や排水路の傾斜角度に変化が生じた場合であっても、培養液の排液を好適に排出できるように、調節手段により、シートの傾斜角度や排水路の傾斜角度を調節できる。例えば、経年使用により培地支持手段の姿勢やシート支持手段の姿勢に変化が生じると、シートの傾斜角度や排水路の傾斜角度も一緒に変化して、培養液の排液が排水路側へ流れ難くなったり、排水路における培養液の排液が排水口側へ流れ難くなったりすることが考えられる。このような場合でも、培養液の排液が好適に流れるように、調節手段によりシートの傾斜角度や排水路の傾斜角度を適切に調節できる。
【００２４】
本発明の請求項８に係る栽培方法は、作物を定植した培地の下面側に防水性を有するシートが介在される介在工程と、前記培地の下方より前記シートおよび前記培地が支持される培地支持工程と、前記シートが支持されるシート支持工程と、前記培地から滲出される排液が、前記シートおよび前記培地が支持される位置とは異なる位置に形成された前記シートの排水路から排出される排水工程と、が含まれる点を特徴とする。
【００２５】
本特徴構成によれば、作物を定植した培地の下面側に防水性を有するシートが介在されており、培地の下方よりシートおよび培地が支持されており、シートが支持されている。このため、培地から滲出される培養液がシートで全て受け止められ、外部に漏れることを防止でき、環境の面において好ましいものにできる。そして、培地から滲出される排液が、シートおよび培地が支持される位置とは異なる位置に形成されたシートの排水路から排出されるので、排水路を形成するための専用部材を用意する必要がない。
よって、排水路により培養液の排液が排出され、培養液の排液が淀まずに、培養液の排液に藻、苔、病害虫等が発生することを防止でき、作物の周辺の衛生状態を良好に保つことができる。
また、培地から浸出された培養液の排液が排水路により排出されるため、培養液の排液に培地が浸かることが防止され、作物に適度な量の培養液を供給でき、作物の果実が裂果することを防止できる。
さらに、培地から滲出される排液が、シートおよび培地が支持される位置とは異なる位置に形成されたシートの排水路から排出されるので、排水路の状態を確認し易くなり、例えば排水路が汚れていないか否か等の確認を目視で行い易くできる。
したがって、作物に供給される培養液の排液の処理を適切に行うことができる。
【００２６】
本発明の請求項９に係る栽培方法は、前記排水工程で、前記排液が、平面視において、前記培地の外側位置を導かれるようにされている点を特徴とする。
【００２７】
本特徴構成によれば、排水路が、平面視において、培地の外側位置を導かれるので、排水路の状態を上方側から目視で確認し易くでき、衛生状態の維持管理を行い易くできる。
【００２８】
本発明の請求項１０に係る栽培方法は、前記シートの部分から延出された延出部により前記排水路が覆われる被覆工程が含まれる点を特徴とする。
【００２９】
本特徴構成によれば、シートの部分から延出された延出部により排水路が覆われるので、一つのシートで、培養液の排液が外部に漏れることを防止しながら、培養液の排液の排出も好適に行い、かつ、排水路への病害虫等の侵入も防止できる。また、シートが遮光性を有するものであれば、排水路における藻や苔の繁殖も抑制できる。よって、排水路を覆う専用のカバーが不要となり、簡素な構造で、作物の周辺の衛生状態を良好に維持できる。
【００３０】
本発明の請求項１１に係る栽培方法は、前記被覆工程で、前記延出部により前記培地が覆われるようにされている点を特徴とする。
【００３１】
本特徴構成によれば、延出部により、排水路に加えて培地も覆われるので、培地への病害虫等の侵入を防止できる。また、シートが遮光性を有するものであれば、培地における藻や苔の繁殖も抑制できる。よって、排水路を覆う専用のカバーが不要となり、簡素な構造で、衛生状態を良好に維持できる。
【００３２】
本発明の請求項１２に係る栽培方法は、前記排水工程で、前記排液が、前記排水路側へ導かれるようにされている点を特徴とする。
【００３３】
本特徴構成によれば、培養液の排液が、排水路側へ導かれるので、培地から滲出される排液が排水路側へ自然に流下される。このため、培養液の排液を排水路側へ効率よく排出でき、作物に適度な量の培養液を供給でき、作物の果実が裂果することを防止できる。
【００３４】
本発明の請求項１３に係る栽培方法は、前記排水工程で、前記排液が、前記排水路に存在する排液を前記シートの外側へと排出する排水口に導かれるようにされている点を特徴とする。
【００３５】
本特徴構成によれば、培養液の排液が、排水路に存在する排液をシートの外側へと排出する排水口に導かれるので、培地から排水路へと導かれた培養液の排液が、排水路において排水口側へ向けて導かれる。このため、排水路において培養液の排液が滞留することを防止でき、排水路における培養液の排液に病害虫等が発生することを防止できる。
【００３６】
本発明の請求項１４に係る栽培方法は、前記シートの傾斜角度または前記排水路の傾斜角度が調節される調節工程が含まれる点を特徴とする。
【００３７】
本特徴構成によれば、作物を栽培している間に、シートの傾斜角度や排水路の傾斜角度に変化が生じた場合であっても、培養液の排液を好適に排出できるように、シートの傾斜角度または排水路の傾斜角度が調節される。例えば、経年使用により培地支持手段の姿勢やシート支持手段の姿勢に変化が生じると、シートの傾斜角度や排水路の傾斜角度も一緒に変化して、培養液の排液が排水路側へ流れ難くなったり、排水路における培養液の排液が排水口側へ流れ難くなったりすることが考えられる。このような場合でも、培養液の排液が好適に流れるように、シートの傾斜角度や排水路の傾斜角度を好適に調節できる。
【００３８】
本発明の請求項１５に係る栽培方法は、前記培地として、有機培地が用いられる点を特徴とする。
【００３９】
作物を生育する培地として従来はロックウール等の無機培地が用いられることが多かった。しかしながら、ロックウール等の無機培地は、優れた人工培地である一方、不燃性で焼却処分できないため、廃棄処分に手間がかかり、しかも、埋め立て等によって処分されるため、環境負荷も大きい。これに対し、本特徴構成によれば、培地として、焼却処分が可能な有機培地が用いられることにより、廃棄処分の手間を削減できる。さらに、栽培に使用した有機培地は、畑等の圃場に散布することにより土壌改良剤として再利用することもでき、環境の面でも好適となる。
【００４０】
本発明の請求項１６に係る栽培方法は、培土の側面を覆う側壁部と、前記作物の根が下方へ通過するための孔部とが備えられた育苗ポットにより育苗された前記作物が用いられ、前記育苗ポットの孔部側を前記培地の上に載置することにより、前記作物が前記培地へと定植される定植工程が含まれる点を特徴とする。
【００４１】
本特徴構成によれば、培土の側面を覆う側壁部と、前記作物の根が下方へ通過するための孔部とが備えられた育苗ポットを用いて予め育苗しておいた作物を、培地の上に載置するだけで、育苗ポットの孔部を通じて作物の根が下方に伸びて培地に活着されるので、定植作業が簡単となり、作物の栽培を簡単に開始できる。また、例えば育苗ポットの上から培養液を供給することにより、育苗ポットの側壁部により培養液の拡散が防止され、培地中に存在する作物の根に対して効率よく培養液を供給できる。
【図面の簡単な説明】
【００４２】
【図１】栽培装置の正面断面図である。
【図２】（ａ）は、栽培装置の全体平面図、（ｂ）は、栽培装置の全体側面図である。
【図３】挟持具の取り付け方を説明する斜視図である。
【図４】栽培方法のフローチャートである。
【図５】架台の第一変更例を示す正面断面図である。
【図６】培地支持手段の第一変更例を示す正面断面図である。
【図７】培地支持手段の第二変更例を示す正面断面図である。
【図８】培地支持手段の第三変更例を示す正面断面図である。
【図９】培地支持手段の第四変更例を示す正面断面図である。
【図１０】培地支持手段の第五変更例を示す正面断面図である。
【図１１】挟持具の第一変更例を示す正面断面図である。
【図１２】挟持具の第二変更例を示す正面断面図である。
【図１３】挟持具の第三変更例を示す正面断面図である。
【図１４】調節手段の第一変更例を示す斜視断面図である。
【図１５】調節手段の第二変更例を示す正面断面図である。
【発明を実施するための形態】
【００４３】
以下、本発明の実施形態を図面に基づいて説明する。
〔栽培装置〕
図１、図２（ａ）、図２（ｂ）に示すように、栽培装置は、トマト、キュウリ、ナス、イチゴ等の果菜類の作物Ｃを培地Ｍに植え、その培地Ｍに培養液を供給することにより作物を生育するものである。この栽培装置は、側壁及び天井を透光性部材で構成された不図示の温室内に配置されている。栽培装置は、圃場の上にシート等を敷いて形成された比較的軟弱な床面上に設置されている。栽培装置には、架台１１と、栽培ベッド１２と、シート１３と、シート１３を架台１１に支持する挟持具１４と、培養液の供給システム１５と、培養液の排液の回収システム１６と、が備えられている。この栽培装置に、培地Ｍ、育苗ポットＲ等が組み込まれて作物Ｃの栽培が行われる。
【００４４】
〔架台〕
図１、図２（ａ）、図２（ｂ）に示すように、架台１１は、全体が直方体状の枠形状となるように、円筒状断面を有するパイプ材が組まれて構成されている。以下、横方向のうち、架台１１の長手方向側を前後方向と称し、架台１１の前後方向に直交する方向を左右方向と称する。架台１１には、前後方向に複数配設された左右方向に一対の支柱１９と、支柱１９の下部間に左右方向に横架された下横材２０と、支柱１９の上部間に左右方向に横架された上横材２１と、支柱１９における下横材２０よりも下方箇所間に左右方向に横架された沈下防止横材２２と、前後方向に並んだ支柱１９の上部間に横架された左右方向に一対の紐吊り材２３と、前後方向に並んだ下横材２０間に横架されて支持された左右方向に一対の培地支持材２４と、前後方向に並んだ支柱１９の中央部間に横架された左右一対のシート支持材２５（「シート支持手段」の一例）と、が備えられている。支柱１９の下端部には、高さ調節機構が設けられた支持具１９ａが備えられている。紐吊り材２３は、作物Ｃが成長した際に、作物Ｃの茎に誘引紐を結んで、作物Ｃを上方から吊るためのものである。なお、本実施形態では、図２（ａ）、図２（ｂ）に示すように、架台１１が二つ設置され、すなわち、作物Ｃが２列設置されているものを一例として示している。
【００４５】
〔栽培ベッド〕
図１に示すように、栽培ベッド１２は、発泡スチロール等の樹脂材からなり、一対の培地支持材２４の上に載置されている。栽培ベッド１２は、シート１３および培地Ｍの下方に配置され、シート１３および培地Ｍを下方より支持する。栽培ベッド１２は、前後方向に長く形成されており、栽培ベッド１２には、正面視において、第一壁部２６と、第一壁部２６に隣接する溝部２７と、溝部に隣接する培地支持部２８（「培地支持手段」の一例）と、培地支持部２８に隣接する第二壁部２９と、培地支持部２８の中央部側に設けられた挿通部３０と、が備えられている。第一壁部２６および第二壁部２９は、培地支持部２８の上端部よりも高くなるようにされている。培地支持部２８は、溝部２７側へと緩やかな下り傾斜となるように構成されている。溝部２７の底面は、培地支持部２８の下端部よりも低くなるようにされており、培地支持部２８と溝部２７との間には段差が形成されている。挿通部３０は、培地Ｍの下方に位置する位置に配置され、挿通部３０には、冬季等の寒い時に培地Ｍの温度を上昇させて作物Ｃの根を寒さから守るための温湯管３１が挿通される。前述のシート支持材２５は、栽培ベッド１２の培地支持部２８よりも高い位置でシート１３を支持する。
【００４６】
〔シート〕
シート１３は、防水性と、遮光性とを有し、適宜に折り曲げ可能な柔軟性を有する素材で構成されている。シート１３の遮光性により、培養液や培地Ｍにおける藻や苔の繁殖を抑制できる。図１に示すように、架台１１に支持された状態のシート１３には、正面視において、培地接触部３２と、排水部３３と、排水部３３により形成された排水路３４と、折り曲げ部３５と、延出部３６と、が形成されている。排水路３４は、栽培ベッド１２の培地支持部２８とは異なる位置に、培地Ｍから滲出される培養液の排液をシート１３により排水するように形成されている。なお、排水路３４は、栽培装置の設置当初から形成されている。また、排水路３４は、平面視において、培地Ｍの外側位置に形成されている。シート１３には、排水路３４に存在する排液をシート１３の外側へと排出する排水口３７が設けられている。シート１３の培地接触部３２は、作物Ｃを定植した培地Ｍの下面側に介在される。シート１３は、栽培ベッド１２の溝部２７に、培地接触部３２よりも低い位置に位置する排水部３３を形成するようにして緩められた状態で、図１、図２（ｂ）、図３に示すように、その左右両端で挟持具１４によりシート支持材２５にそれぞれ固定され、その固定された部分が折り曲げ部３５とされている。挟持具１４は、断面が半円状に形成されており、シート１３をシート支持材２５の半径方向の外側から挟み込むようにして固定している。
【００４７】
図１に示すように、シート１３の延出部３６は、挟持具１４によりシート支持材２５に固定された折り曲げ部３５から延出された部分であって、折り曲げ部３５から内側へ折り返された部分であり、排水部３３、培地Ｍ、作物Ｃの株元を覆うように形成されている。シート１３は、このような排水部３３、延出部３６を形成できる大きさのものとされている。このような大きさのシート１３としていることにより、仮に作物Ｃに病気が発生した場合等には、培地Ｍや排水路３４における培養液の排液等を丸ごと覆って廃棄処分できる。排水部３３により培地Ｍから滲出される培養液の排液を排出する排水路３４が長手方向に長く形成されている。シート１３は、その培地接触部３２が、排水路３４側へ向けて下り傾斜となるように、栽培ベッド１２の培地支持部２８の傾斜に沿って支持されている。また、シート１３は、排水部３３が、排水口３７へ向けて上流側から下流側へ培養液の排液が流下させるべく、前後方向に緩やか下り傾斜となるように、その折り曲げ部３５でシート支持材２５に複数の挟持具１４により挟持されて支持されている。つまり、シート１３により形成された排水路３４は、排水口３７へ向けて上流側から下流側へ培養液の排液が流下するように、前後方向に緩やかな下り傾斜となるように構成されている。
【００４８】
〔培養液の供給システム〕
図２（ａ）、図２（ｂ）に示すように、培養液の供給システム１５には、液肥タンク３８と、給液ポンプ３９と、フィルター４０と、第一バルブ４１と、第二バルブ４２と、第三バルブ４３と、供給管４４と、栽培される作物Ｃ毎に供給管４４から分岐された点滴具４５と、が備えられている。液肥タンク３８は、作物Ｃに供給する培養液を貯留するものであり、培養液が日光に晒されることを防止するため、床面下に埋設されている。給液ポンプ３９は、液肥タンク３８から供給管４４を介して点滴具４５へ培養液を送出する。フィルター４０は、液肥タンク３８から吸い上げられた培養液を漉して、供給管４４や点滴具４５の目詰まりを防止する。第一バルブ４１は、一列目の作物Ｃへの培養液の供給を制御するものである。第二バルブ４２は、二列目の作物Ｃへの培養液の供給を制御するものである。第三バルブ４３は、液肥タンク３８へと培養液を適宜戻すものである。点滴具４５は、作物Ｃの株元に培養液が滴下されるように支持ピン４６で固定されている。給液ポンプ３９、第一バルブ４１、第二バルブ４２、第三バルブ４３、適時に作動させて、作物Ｃへの培養液の供給が行われる。
【００４９】
〔培養液の排液の回収システム〕
図２（ａ）、図２（ｂ）に示すように、培養液の排液の回収システム１６には、シート１３により形成された排水路３４と、シート１３に形成された排水口３７と、排水管４７と、中継タンク４８と、排液ポンプ４９と、排液タンク５０と、が備えられている。排水路３４は、作物Ｃが並べられた方向に排水口３７へ向けて培養液の排液を流すように構成されている。排水管４７は、シート１３の排水口３７から中継タンク４８へ培養液の排液を導くものである。なお、シート１３の排水口３７と排水管４７との接続部には、不図示のホースニップル等の液漏れを防止する部材が用いられている。中継タンク４８は、シート１３の排水口３７よりも液面レベルが低い高さとなるように設けられており、シート１３の排水口３７から排出された培養液の排液が排水管４７を介して自然に中継タンク４８へ流下するように構成されている。排液ポンプ４９は、中継タンク４８から排液タンク５０へと排液を汲み上げるものである。排液タンク５０は、遮光性部材から構成されており、培養液の排液を回収して貯留するものである。なお、排液タンク５０を、液肥タンク３８と同様に、床面下に埋設してもよく、この場合、中継タンク４８や排液ポンプ４９が不要となる。このように、用いられた培養液の排液は、最終的に排液タンク５０に全て回収されるので、培養液の排液を外部に垂れ流しにする場合のような環境負荷を発生させることがない。
【００５０】
〔培地〕
図１、図２（ａ）、図２（ｂ）に示すように、培地Ｍは、天然有機物のヤシ殻に由来するヤシ殻培地（「有機培地」の一例）であり、長手方向に長く形成され、防水性のフィルムＦで覆われている。ヤシ殻培地を用いることにより、作物Ｃの根圏環境における液相と気相のバランスが良くなり、つまり、作物Ｃに供給される培養液を適度に培地Ｍに保水しながら作物Ｃの根に供給される酸素を保持されるので、作物Ｃの生育に好適となる。フィルムＦには、培地Ｍの底側で排水路３４に近い側の部位に、前後方向に３箇所の抜き孔ｄが形成されており、抜き孔ｄから培地Ｍに供給された培養液の余剰分が滲出され、排水路３４側へ排出される。また、フィルムＦには、上側箇所に、作物Ｃ毎の育苗ポットＲが載置され、育苗ポットＲに植えられた作物Ｃの苗の根の通過を許す通過孔ｈが形成されている。
【００５１】
〔育苗ポット〕
図１に示すように、育苗ポットＲは、作物Ｃの苗を生育するための培土Ｓの側面を覆う側壁部ｗと、作物Ｃの根が下方へ通過するための孔部Ｐとが備えられている。このような孔部Ｐを設けた育苗ポットＲに育苗ポットＲの孔部Ｐよりも小さな液排出孔が形成されたのみの不図示の汎用ポットを外嵌したものに、作物Ｃの種子を播き、苗まで育てる。そして、汎用ポットから育苗ポットＲを抜き出して、作物Ｃの苗が植えられた育苗ポットＲを培地Ｍの通過孔ｈに載置することで、培地Ｍに対する作物Ｃの定植が行われる。
【００５２】
〔シートの傾斜角度の調節手段〕
圃場の上にシート１３を敷いて床面としている場合、大雨が降った後等には、床面が軟化して架台１１等の重みで沈下する場合がある。このような場合、シート１３の左右方向の傾斜角度やシート１３の排水路３４の前後方向の傾斜角度が変化する。栽培装置には、このようなシート１３の左右方向の傾斜角度またはシート１３の排水路３４の前後方向の傾斜角度を調節可能な調節手段が備えられている。具体的には、前述した挟持具１４が調節手段に相当する。
【００５３】
シート１３の左右方向の傾斜角度を調節するには、左右いずれか一方の挟持具１４によるシート１３の挟み込みを一旦緩め、シート１３を引き上げ、あるいは、引き下ろして、排水部３３側へ下り傾斜が生じるように調節して、新たな折り曲げ部３５にて挟持具１４にてシート支持材２５にシート１３を再度固定する。これにより、培地Ｍから滲出された培養液の排液が、排水路３４側へ流れるように調節できる。このように、挟持具１４を操作するだけでシート１３の左右方向の傾斜角度を調節できるので、調節作業を簡単に行うことができる。
【００５４】
また、シート１３の排水路３４の前後方向の傾斜角度を調節するには、シート１３の上流側部分を固定している挟持具１４によるシート１３の挟み込みを一旦緩め、シート１３を引き上げて固定する。これをシート１３の排水部３３が排水口３７側に向けて徐々に低くなるように各箇所の挟持具１４を操作して調整する。これにより、シート１３の排水路３４が上流側から下流側へ傾斜するように調整でき、排水路３４において培養液の排液が滞留することなく排水口３７側へ流れるように調節できる。このように、挟持具１４を順次操作するだけでシート１３の排水路３４の前後方向の傾斜角度を調節できるので、調節作業を簡単に行うことができる。
【００５５】
〔栽培方法〕
図４に示すように、上述の栽培装置を用いた際の栽培方法に含まれる工程は、以下の通りである。
まず、作物Ｃを定植した培地Ｍの下面側に防水性を有するシート１３が介在される介在工程が行われる（ステップ♯１）。培地Ｍとしては、前述のように、有機培地が用いられる。
【００５６】
そして、培地Ｍの下方よりシート１３および培地Ｍが支持される培地支持工程が行われる（ステップ♯２）。そして、シート１３および培地Ｍが下方より支持される位置よりも高い位置でシート１３が支持されるシート支持工程が行われる（ステップ♯３）。
【００５７】
そして、培土Ｓの側面を覆う側壁部ｗと、作物Ｃの根が下方へ通過するための孔部Ｐとが備えられた育苗ポットＲにより育苗された作物Ｃが用いられ、育苗ポットＲの孔部Ｐ側を培地Ｍの上に載置することにより、作物Ｃが培地Ｍへと定植される定植工程が行われる（ステップ♯４）。
【００５８】
そして、培地Ｍが下方より支持される位置よりも高い位置で支持されたシート１３の部分から延出された延出部３６により排水路３４が覆われる被覆工程が行われる（ステップ♯５）。この被覆工程では、延出部３６により培地Ｍおよび作物Ｃの株元も覆われるようにされている。このとき、もちろん点滴具４５もシート１３の延出部３６の内側に覆われるようにされている。
【００５９】
そして、培養液の供給システム１５における給液ポンプ３９、第一バルブ４１、第二バルブ４２、第三バルブ４３が適時に作動され、各作物の培地Ｍへ点滴具４５からそれぞれ培養液が供給される供給工程が行われる（ステップ♯６）。
【００６０】
そして、培地Ｍから滲出される排液が、シート１３および培地Ｍが支持される位置とは異なる位置に形成されたシート１３の排水路３４から排出される排水工程が行われる（ステップ♯７）。この排水工程では、排液が、平面視において、培地Ｍの外側位置を導かれるようにされている。また、この排水工程では、排液が、排水路３４側へ導かれるようにされている。また、この排水工程では、排水路３４に存在する排液が、排水口３７によりシート１３の外側へと導かれて排出されるようにされている。
【００６１】
そして、培養液の排液の回収システム１６において、排液ポンプ４９を作動させて、排水口３７から排出され、排水管４７から中継タンク４８へ流れた培養液の排液を回収タンクへと回収する回収工程が行われる（ステップ♯８）。
【００６２】
次に、作物Ｃを生育中に、床面が軟化して架台１１等の重みで沈下する等して、架台１１や栽培ベッド１２やシート１３の姿勢が変化された場合、シート１３の傾斜角度または排水路３４の傾斜角度が調節される調節工程が適宜行われる（ステップ♯９）。
【００６３】
〔別実施形態〕
（１）上記実施形態では、上横材２１、沈下防止横材２２が備えられた架台１１を一例として示したが、これに限られない。例えば、図５に示すように、上横材や沈下防止横材が無く、シート支持材２５と同程度の高さの支柱６９が備えられた他の架台７１であってもよく、これにより、部品点数を減らすことができ、栽培装置の製造コストを削減できる。
【００６４】
（２）上記実施形態では、支柱１９、下横材２０、上横材２１、沈下防止横材２２、紐吊り材２３、培地支持材２４、シート支持材２５は、円筒状断面を有するパイプ材として説明したが、これに限られず、異形断面のパイプ材や、種々の断面形状の中実材等が用いられていてもよい。
【００６５】
（３）上記実施形態では、排水路３４が、栽培装置の設置当初から形成されているものとして説明したが、これに限られず、排水路３４を常時形成するのではなく、シート１３上に培養液の排液が溜まってきたときに、一時的に培養液の排液を排出する排水路３４を形成するように構成されていてもよい。
【００６６】
（４）上記実施形態では、シート支持手段として、培地支持手段の一例である栽培ベッド１２の培地支持部２８よりも高い位置でシート１３を支持するシート支持材２５を一例に示したが、これに限られず、他のシート支持手段であってもよい。例えば、栽培ベッド１２の培地支持部２８と略同じ高さ位置で、シート１３を支持する他のシート支持手段であってもよいし、あるいは、栽培ベッド１２の培地支持部２８よりも低い高さ位置でシート１３を支持する他のシート支持手段であってもよい。
【００６７】
（５）上記実施形態では、培地支持手段として、第一壁部２６と、溝部２７と、培地支持部２８と、第二壁部２９と、が備えられた栽培ベッド１２を一例に示したがこれに限られず、他の培地支持手段であってもよい。
【００６８】
（５−１）例えば、図６に示すように、第一壁部９６と、第一壁部９６に隣接する第一溝部９７ａと、第一溝部９７ａに隣接する培地支持部９８と、培地支持部９８に隣接する第二溝部９７ｂと、第二溝部９７ｂに隣接する第二壁部９９と、が備えられた栽培ベッド８２が培地支持手段として備えられていてもよい。これにより、シート１３により培地Ｍの横両側に排水路１０４ａ、排水路１０４ｂの二つの排水路が形成される。また、特に図示はしないが、排水口も排水路１０４ａ、排水路１０４ｂ毎にそれぞれ形成される。
【００６９】
（５−２）また、他に、例えば、図７に示すように、図６に示した栽培ベッド１１２から第一壁部９６と、第二壁部９９と、を無くした栽培ベッド１１２を培地支持手段として備えていてもよい。
【００７０】
（５−３）また、他に、例えば、図８に示すように、図７に示した栽培ベッド１１２から更に、第一溝部９７ａと第二溝部９７ｂと、を無くした栽培ベッド１２２を培地支持手段として備えていてもよい。この場合、例えば、図９に示すように、図８において培地Ｍの一方側のみに排水路１０４ａを形成するようにシート１３をシート支持材２５により支持するようにしてもよい。
【００７１】
（５−４）また、他に、例えば、図１０に示すように、栽培ベッドを用いずに、左右方向に一対の培地支持材２４上に培地Ｍが直接支持されることにより、培地支持材２４が培地支持手段としての機能を果たす態様であってもよい。この場合、特に図示はしないが、左右の培地支持材２４間に排水路を形成するようにしてもよい。
【００７２】
（６）上記実施形態では、シート１３上に培地Ｍを載置しているが、これに限られず、シート１３上に上下方向のスペーサを載置し、そのスペーサ上に培地Ｍを載置するようにしてもよい。これにより、培地Ｍの通気性が向上され、作物Ｃの根に対する酸素の供給を良好にできる。
【００７３】
（７）上記実施形態では、シート支持手段として、断面が半円状の挟持具１４を一例として示したが、これに限られず、他のシート支持手段であってもよい。
【００７４】
（７−１）例えば、図１１に示すように、シート支持材２５に沿って、シート支持材２５の横側に配置され、シート支持材２５との間にシート１３を横方向から挟むことが可能な挟持材１３５と、をシート支持手段として備えていてもよい。
【００７５】
（７−２）また、他に、例えば、図１２に示すように、挟持材１３５がシート支持材２５の上側に配置され、シート１３を挟持材１３５とシート支持材２５との間に上下方向から挟むこんで支持されるように構成されていてもよい。
【００７６】
（７−３）また、他に、例えば、図１３に示すように、シート支持材２５と、挟持材１３５と、シート１３の重なり部分に挿通される挿通材１３６との３つの部材によりシート１３を挟み込むようなシート支持手段であってもよい。
【００７７】
（８）上記実施形態では、調節手段として、挟持具１４を一例として示したが、これに限られず、他の調節手段であってもよい。
【００７８】
（８−１）例えば、図１４に示すように、図１１に示した挟持材１３５を、シート支持材２５を固定して、シート支持材２５の周りを旋回させることにより、シート１３を巻き上げ、巻き下げできる構成の調節手段であってもよい。
【００７９】
（８−２）また、他に、例えば、図１５に示すように、図１１に示した挟持材１３５を、シート支持材２５を固定して、上下方向に昇降することにより、シート１３の巻き上げ、巻き下げを行いうる構成の調節手段であってもよい。
【００８０】
（９）上記実施形態では、栽培装置により栽培される作物として、トマト等の果菜類の作物Ｃを一例として説明したが、ハクサイ、レタス、ホウレンソウ、ネギ等の葉菜類の作物等の他の作物であってもよい。
【００８１】
（１０）上記実施形態では、培地Ｍとして、天然有機物のヤシ殻に由来する有機培地であるヤシ殻培地を用いる例を示したが、これに限られず、樹脂材、もみがら、ピートモス、おがくず、混合倍土等の他の天然有機物に由来する有機培地を用いてもよい。また、ポリウレタン、ポリフェノール、プラスチックペレット等の有機合成物からなる他の有機培地や、ロックウール、レキ、砂、もみがらくん炭、パーライト、ガラスビーズ等の無機培地を培地として用いることもできる。また、培地Ｍとして、ロックウールや礫等の無機培地を用いてもよい。
【００８２】
（１１）上記実施形態では、作物Ｃの苗の植えられた育苗ポットＲを培地Ｍの上に載置して作物Ｃを培地Ｍに定植させることを、作物Ｃが栽培される態様の一例に示したが、これに限られず、例えば、比較的容量の大きな植木鉢等の大きな容器に、培地Ｍとしての培土を収納し、その培土に予め作物Ｃを定植しておき、その作物Ｃを定植した容器を栽培装置に組み込むことにより、作物Ｃの栽培が行われる態様であってもよい。
【００８３】
（１２）上記実施形態では、圃場の上にシート１３を敷いて形成された比較的軟弱な床面に栽培装置が設置される例を示したが、これに限られず、栽培装置は、コンクリート等からなる堅い床面に設置されていてもよい。
【００８４】
（１３）上記実施形態では、栽培方法の工程を、介在工程、培地支持工程、シート支持工程、定植工程、被覆工程、供給工程、排水工程、回収工程、調節工程の順で示したが、これに限られず、必要に応じてこれらの工程の順序が入れ替えられた栽培方法であってもよい。
【符号の説明】
【００８５】
１３      ：シート
１４      ：挟持具（「調節手段」）
２５      ：シート支持材（「シート支持手段」）
２８      ：培地支持部（「培地支持手段」）
３４      ：排水路
３６      ：延出部
３７      ：排水口
Ｃ        ：作物
Ｍ        ：培地
Ｒ        ：育苗ポット
Ｓ        ：培土
Ｐ        ：孔部
ｗ        ：側壁部
【図１】
2014124180.tif 000003
【図２】
2014124180.tif 000004
【図３】
2014124180.tif 000005
【図４】
2014124180.tif 000006
【図５】
2014124180.tif 000007
【図６】
2014124180.tif 000008
【図７】
2014124180.tif 000009
【図８】
2014124180.tif 000010
【図９】
2014124180.tif 000011
【図１０】
2014124180.tif 000012
【図１１】
2014124180.tif 000013
【図１２】
2014124180.tif 000014
【図１３】
2014124180.tif 000015
【図１４】
2014124180.tif 000016
【図１５】
2014124180.tif 000017